(57)【要約】【課題】  既設支柱に錆や変形等が生じていても、既設支柱を新設フェンスの支柱として利用することができる。【解決手段】  ハット形鋼等からなる支柱１を備えた既設フェンスの改装方法であって、既設支柱１から既設支柱１以外のフェンス構成部材を取り外し、次いで、このようにして残した既設支柱１の外側に断面円形状パイプ８を嵌め込んで新設支柱を構築し、そして、この新設支柱に継手金具を介して新設フェンス本体を固定し、かくして、既設フェンスを新設フェンスに改装する。【選択図】  図１
2006225893.tif 000002
【特許請求の範囲】
【請求項１】
形鋼またはパイプからなる支柱を備えた既設フェンスの改装方法であって、前記既設支柱から前記既設支柱以外のフェンス構成部材を取り外し、次いで、このようにして残した前記既設支柱の外側にパイプを嵌め込んで新設支柱を構築し、そして、前記新設支柱に継手金具を介して新設フェンス本体を固定し、かくして、既設フェンスを新設フェンスに改装することを特徴とする、既設フェンスの改装方法。
【請求項２】
前記既設支柱は、ハット形鋼からなっていることを特徴とする、請求項１記載の、既設フェンスの改装方法。
【請求項３】
前記既設支柱の上部を切断し、このようにして切断した前記既設支柱の外側に、切断した前記既設支柱より長いパイプを嵌め込むことを特徴とする、請求項１または２記載の、既設フェンスの改装方法。
【請求項４】
前記既設支柱の上部を切断し、このようにして切断した前記既設支柱の外側に型枠を設置し、前記型枠内に充填材を入れ、前記充填材の硬化後、前記型枠の外側に、切断した前記既設支柱より長いパイプを嵌め込むことを特徴とする、請求項１または２記載の、既設フェンスの改装方法。
【請求項５】
前記型枠に予めナットを固定しておき、前記型枠の外側に前記パイプを嵌め込んだ後、ボルトを前記パイプから前記ナットにねじ込むことによって、前記パイプを前記型枠に固定することを特徴とする、請求項４記載の、既設フェンスの改装方法。
【請求項６】
前記新設フェンス本体は、胴縁を有するメッシュパネル、目隠しパネルまたは格子パネルからなることを特徴とする、請求項１から５の何れか１つに記載の、既設フェンスの改装方法。
【請求項７】
支柱がハット型鋼からなる、既設フェンスの前記既設支柱を利用した新設フェンスであって、前記既設支柱の外側に嵌め込まれたパイプからなる新設支柱と、前記新設支柱に継手金具を介して固定された新設フェンス本体とを備えたことを特徴とするフェンス。
【請求項８】
前記既設支柱の上部は、切断され、前記パイプは、切断された前記既設支柱の長さより長いことを特徴とする、請求項７記載のフェンス。
【請求項９】
前記既設支柱の上部は、切断され、切断された前記既設支柱の外側に、充填材が入れられた型枠が固定され、前記型枠の外側に、切断された前記既設支柱より長いパイプが嵌め込まれていることを特徴とする、請求項７記載のフェンス。
【請求項１０】
充填材が入れられた前記型枠と前記パイプとはボルト結合されていることを特徴とする、請求項９記載のフェンス。
【請求項１１】
前記新設フェンス本体は、胴縁を有するメッシュパネル、目隠しパネルまたは格子パネルからなることを特徴とする、請求項７から１０の何れか１つに記載のフェンス。  
【発明の詳細な説明】
【技術分野】
【０００１】
この発明は、既設フェンスの改装方法およびフェンス、特に、既設支柱に錆や捩れや曲り等の変形が生じていても、既設支柱を新設フェンスの支柱として利用することができる、既設フェンスの改装方法および改装されたフェンスに関するものである。
【背景技術】
【０００２】
従来から広く構築されているフェンスとしてネットフェンスがある。このネットフェンスの概略を、図面を参照しながら説明する。
【０００３】
図６は、ネットフェンスを示す部分正面図、図７は、ネットフェンスの支柱を示す断面図、図８は、ネットフェンスを示す部分側面図である。
【０００４】
図６から図８に示すように、ネットフェンスは、ハット形鋼からなる支柱１と、支柱１間に固定された、アングル鋼からなる上、下胴縁２（上胴縁のみ図示）と、上、下胴縁２間に取り付けられた菱形金網３とからなっている。上胴縁２は、ナックル加工された菱形金網３の上端部に挿通した鉄線４を、上胴縁２の垂直部に形成された爪２Ａに引っ掛けることによって菱形金網３の上端部に取り付けられている。下胴縁（図示せず）の菱形金網３への取り付けは、爪２Ａの向きが上下逆になっている点を除いて、上胴縁の場合と同様である。
【０００５】
上胴縁２の垂直部は、支柱１のリップの上部に形成された上部爪１Ａ内に挿入され、上胴縁２の水平部は、支柱１のウェブに挿通されたボルト５により固定金具６を介して固定されている。固定金具６は、上胴縁２の水平部が嵌め込まれる溝６Ａを有し、袋ナット７によって固定されている。下胴縁の支柱１への固定構造は、上部爪１Ａの向きが上下逆になっている点を除いて、上胴縁の場合と同様である。
【発明の開示】
【発明が解決しようとする課題】
【０００６】
このように構成されているネットフェンスは、年月が経過すると、支柱１に生じた錆、菱形金網３の破れや変形によって、美観が著しく損なわれ、場合によってはフェンスとしての機能が失われる場合もある。
【０００７】
このような欠陥を有するフェンスは、新規に構築し直すのが最良であるが、構築費用がかかるので、破損部分のみを新たな部材に取り替える改装が得策である。すなわち、支柱のみを残し、この既設支柱に新設フェンス本体を取り付ける改装が得策である。しかしながら、既設支柱に錆や捩れや曲り等の変形が生じていると、既設支柱をそのまま新設フェンスの支柱として利用できないことがある。
【０００８】
従って、既設支柱に錆や捩れや曲り等の変形が生じていても、既設支柱を新設フェンスの支柱として利用することができる、既設フェンスの改装方法および改装されたフェンスの開発が強く望まれている。
【０００９】
しかしながら、現在のところかかる要望を満足する、既設フェンスの改装方法は提案されていない。
【００１０】
一方で、菱形金網３を用いたネットフェンスに比べて美観が優れていることから人気が高まっているメッシュフェンスが近年、主流になりつつある。メッシュフェンスは、フェンス用パネルとして、上、下端部を種々の形状に折り曲げて胴縁を形成した鋼線材製縦桟に鋼線材製横桟を溶接により接合してフェンス用パネルを構成し、この後、このパネルに樹脂被覆を施したものである。
【００１１】
従って、この発明の目的は、既設支柱に錆や捩れや曲り等の変形が生じていても、既設支柱を新設フェンスの支柱として利用することができる、既設フェンスの改装方法および改装されたフェンスを提供することにある。
【課題を解決するための手段】
【００１２】
この発明は、上記目的を達成するためになされたものであって、下記を特徴とするものである。
【００１３】
請求項１記載の発明は、形鋼またはパイプからなる支柱を備えた既設フェンスの改装方法であって、前記既設支柱から前記既設支柱以外のフェンス構成部材を取り外し、次いで、このようにして残した前記既設支柱の外側にパイプを嵌め込んで新設支柱を構築し、そして、前記新設支柱に継手金具を介して新設フェンス本体を固定し、かくして、既設フェンスを新設フェンスに改装することに特徴を有するものである。
【００１４】
請求項２記載の発明は、請求項１記載の発明において、既設支柱は、ハット形鋼からなっていることに特徴を有するものである。
【００１５】
請求項３記載の発明は、請求項１または２記載の発明において、既設支柱の上部を切断し、このようにして切断した既設支柱の外側に、切断した既設支柱より長いパイプを嵌め込むことに特徴を有するものである。
【００１６】
請求項４記載の発明は、請求項１または２記載の発明において、既設支柱の上部を切断し、このようにして切断した既設支柱の外側に型枠を設置し、前記型枠内に充填材を入れ、前記充填材の硬化後、前記型枠の外側に、切断した既設支柱より長いパイプを嵌め込むことに特徴を有するものである。
【００１７】
請求項５記載の発明は、請求項４記載の発明において、型枠に予めナットを固定しておき、型枠の外側にパイプを嵌め込んだ後、ボルトをパイプからナットにねじ込むことによって、パイプを型枠に固定することに特徴を有するものである。
【００１８】
請求項６記載の発明は、請求項１から５の何れか１つに記載の発明において、新設フェンス本体は、胴縁を有するメッシュパネル、目隠しパネルまたは格子パネルからなることに特徴を有するものである。
【００１９】
請求項７記載の発明は、支柱がハット型鋼からなる、既設フェンスの前記既設支柱を利用した新設フェンスであって、前記既設支柱の外側に嵌め込まれたパイプからなる新設支柱と、前記新設支柱に継手金具を介して固定された新設フェンス本体とを備えたことに特徴を有するものである。
【００２０】
請求項８記載の発明は、請求項７記載の発明において、既設支柱の上部は、切断され、パイプは、切断された既設支柱の長さより長いことに特徴を有するものである。
【００２１】
請求項９記載の発明は、請求項７記載の発明において、既設支柱の上部は、切断され、切断された既設支柱の外側に、充填材が入れられた型枠が固定され、前記型枠の外側に、切断された既設支柱より長いパイプが嵌め込まれていることに特徴を有するものである。
【００２２】
請求項１０記載の発明は、請求項９記載の発明において、充填材が入れられた型枠とパイプとはボルト結合されていることに特徴を有するものである。
【００２３】
請求項１１記載の発明は、請求項７から１０の何れか１つに記載の発明において、新設フェンス本体は、胴縁を有するメッシュパネル、目隠しパネルまたは格子パネルからなることに特徴を有するものである。
【発明の効果】
【００２４】
この発明によれば、既設支柱に錆や変形等が生じていても、既設支柱を新設フェンスの支柱として利用することができる、既設フェンスの改装方法および改装されたフェンスを提供することができる。
【発明を実施するための最良の形態】
【００２５】
この発明の、既設フェンスの改装方法の一実施態様を、図面を参照しながら説明する。
【００２６】
図１は、この発明の改装方法によりパイプが嵌め込まれる既設支柱を示す部分正面図、図２は、新設支柱への新設フェンス本体の取り付け工程図、図３は、この発明の他の改装方法による既設支柱の切断工程図、図４は、この発明の他の改装方法による型枠取り付け工程図、図５は、この発明の他の改装方法による型枠へのパイプ固定工程図である。
【００２７】
この発明の、既設フェンスの改装方法は、例えば、図６から図８に示すような、ハット形鋼からなる支柱１を備えた既設ネットフェンスを、図２に示すようなメッシュフェンスに改装するものである。
【００２８】
先ず、既設ネットフェンスの支柱から支柱以外のフェンス構成部材、すなわち、上、下胴縁および菱形金網を取り外す。次に、図１に示すように、残した既設支柱１に、断面円形状のパイプ８を上方から嵌め込む。パイプ８がガタツク場合には、パイプ８にボルト孔８Ａをあけ、ボルト９を通して固定する。そして、このようにして、既設支柱１の外側にパイプ８を嵌め込んで、これを新設支柱１０とする。そして、図２に示すように、この新設支柱１０に、通常の方法により継手金具１１、ボルト１２等によって、胴縁を有するメッシュパネルからなる新設フェンス本体１３を固定する。新設フェンス本体１３は、それぞれ胴縁を有する目隠しパネルまたは格子パネル等であっても良い。
【００２９】
既設支柱１に捩れや曲り等の変形が生じている場合には、パイプ８の嵌め込みが良好に行えない場合がある。この場合には、先ず、既設ネットフェンスの支柱から支柱以外のフェンス構成部材を取り外した後、図３に示すように、捩れや曲り等の変形が生じている既設支柱１の上部を切断する。次に、切断された既設支柱１の外側に、断面円形状のパイプを嵌め込み、必要に応じてボルトにより固定する。パイプの長さは、既設支柱１より長く、新設フェンスに応じた長さとする。
【００３０】
切断された既設支柱１にパイプをより強固に固定するには、図４に示すように、既設支柱１の外側に、鋼、樹脂あるいは紙製の円筒状型枠１４を設置し、型枠１４内にモルタル等の充填材１５を入れ、硬化後、図５に示すように、型枠１４の外側に、既設支柱１より長く、新設フェンスに応じた長さの断面円形状のパイプ１６を嵌め込んで新設支柱１０とする。
【００３１】
パイプ１６と充填材１５が入れられた型枠１４とをより強固に固定するには、図４および図５に示すように、予め型枠１４にナット１７を固定しておき、パイプ１６を型枠１４に嵌め込んだ後、パイプ１６にあけたボルト孔１６Ａからボルト１８をナット１７にねじ込む。
【００３２】
以上は、ハット形鋼からなる支柱１を備えた既設ネットフェンスを、メッシュフェンスに改装する場合であるが、この発明は、ハット形鋼以外の形鋼またはパイプを支柱とする既設フェンスを新設フェンスに改装する場合にも適用可能である。また、既設支柱１の外側に嵌め込むパイプの断面形状は、円形状以外に四角形状等でも良い。
【００３３】
以上のように、この発明によれば、既設支柱に錆や変形等が生じていても、この既設支柱の外側にパイプを嵌め込んで、これを新設支柱とし、この新設支柱に新設フェンス本体を取り付けることによって、既設フェンスを新設フェンスに容易に改装することができる。また、既設支柱の上部を切断し、この短尺になった既設支柱の外側にパイプを嵌め込むことによって、既設支柱に捩れや曲りが生じている場合であっても、パイプの嵌め込みが容易に行える。
【図面の簡単な説明】
【００３４】
【図１】この発明の改装方法によりパイプが嵌め込まれる既設支柱を示す部分正面図である。
【図２】新設支柱への新設フェンス本体の取り付け工程図である。
【図３】この発明の他の改装方法による既設支柱の切断工程図である。
【図４】この発明の他の改装方法による型枠取り付け工程図である。
【図５】この発明の他の改装方法による型枠へのパイプ固定工程図である。
【図６】ネットフェンスを示す部分正面図である。
【図７】ネットフェンスの支柱の断面図である。
【図８】ネットフェンスを示す部分側面図である。
【符号の説明】
【００３５】
１：支柱
１Ａ：上部爪
２：胴縁
２Ａ：爪
３：菱形金網
４：鉄線
５：ボルト
６：固定金具
６Ａ：溝
７：袋ナット
８：パイプ
８Ａ：ボルト孔
９：ボルト
１０：新設支柱
１１：継手金具
１２：ボルト
１３：新設フェンス本体
１４：型枠
１５：充填材
１６：パイプ
１７：ナット
１８：ボルト
【図１】
2006225893.tif 000003
【図２】
2006225893.tif 000004
【図３】
2006225893.tif 000005
【図４】
2006225893.tif 000006
【図５】
2006225893.tif 000007
【図６】
2006225893.tif 000008
【図７】
2006225893.tif 000009
【図８】
2006225893.tif 000010